(57)【要約】【課題】            開口度を大きくし、フィルター全体のフィルター効果を均質に保持でき、かつ安価に製造できるパーツ型フィルターの提供。【解決手段】        断面四角形状の箱状体の表裏部の対応する位置に、少なくとも２列の方形状、円形状又は楕円形状の開口部を有するパーツ型フィルターであって、該箱状体の表裏部内側にそれぞれ貼着された不織布又は織布と、該不織布又は織布の内側に貼着された該箱状体の表裏部とほぼ同形の方形状、円形状又は楕円形状の開口部を供えた内貼り部材と、少なくとも２列の開口部の間には表裏の内貼り部材に止着された接合部材と、箱状体の表裏部端部に設けられた薬剤充填用の開閉自在の蓋部材とからなることを特徴とするパーツ型フィルター。【選択図】          図１
2008113935.tif 000002
【特許請求の範囲】
【請求項１】
断面四角形状の箱状体の表裏部の対応する位置に、少なくとも２列の方形状、円形状又は楕円形状の開口部を有するパーツ型フィルターであって、該箱状体の表裏部内側にそれぞれ貼着された不織布又は織布と、該不織布又は織布の内側に貼着された該箱状体の表裏部とほぼ同形の方形状、円形状又は楕円形状の開口部を供えた内貼り部材と、少なくとも２列の開口部の間には表裏の内貼り部材に止着された接合部材と、箱状体の表裏部端部に設けられた薬剤充填用の開閉自在の蓋部材とからなることを特徴とするパーツ型フィルター。
【請求項２】
開口部が、方形状である請求項１記載のパーツ型フィルター。
【請求項３】
蓋部材が、それぞれ表裏部の箱材をそれぞれ延長させて二重に形成されていることを特徴とする請求項１記載のパーツ型フィルター。
【請求項４】
二重に形成された蓋部材の一方が、幅が箱状体の厚さ方向の長さにほぼ等しい、短冊状の突起部を有し、該突起部が該蓋部材を閉じたときに、箱状体の蓋部材側からの空気漏洩を防ぐように箱状体の端部側に折り曲げられていることを特徴とする請求項１記載のパーツ型フィルター。
【請求項５】
接合部材が、箱状体の両端に設けられた蓋状部材を結ぶ方向に止着されている請求項１記載のパーツ型フィルター。
【請求項６】
接合部材の断面形状が、方形状、台形状または台形状の底部が中央部で切断され外側又は内側に折り曲げられた形状である請求項１記載のパーツ型フィルター。
【請求項７】
少なくとも２個のパーツ型フィルターが、側部側で並んだ状態で外枠体に嵌挿されておいる請求項１記載のパーツ型フィルター。
【請求項８】
パーツ型フィルターが厚紙又はプラスチックで形成されている請求項１〜７のいずれかに記載のパーツ型フィルター。
【発明の詳細な説明】
【技術分野】
【０００１】
本発明は、空気清浄機又は臭気脱臭機などの空調装置に使用されるパーツ型フィルターに関する。さらに詳しくは、クリーンルーム、美術館、博物館、各種プラント、住居等に使用される本体ケース内に吸い込んだ空気を浄化又は脱臭して本体ケース外に吹き出す空気清浄機又は臭気脱臭機用のパーツ型フィルターに関する。
【背景技術】
【０００２】
近年、住環境、公共物中の環境等において、室内空気の清浄化又は脱臭化（以下清浄化ともいう）が求められており、吸気口や排気口に取り替え可能なパーツ型フィルターを装着した空気清浄又は脱臭機やルームエアコンが使用されるようになっている。
【０００３】
パーツ型フィルターとして、表裏部にパンチングにより形成された開口部を有するパンチング板を有する箱状体にペレット状の活性炭等を充填したフィルターがある。空気清浄機の空気清浄効率の向上あるいは圧力損失の増加を防止するためには、表裏部の面積に対する開口部の比率を増加させることが必要である。この場合、パンチング数を増やすためには、パンチング板の強度保持のため、金属製とすることが望まれ、パンチング型フィルターの価格を上昇させる原因となっている。また、塵埃等によるフィルター寿命低下の防止、あるいはペレット状活性炭等の逸散を防止するためには、プレフィルター及びアフターフィルターの設置が必要である。これらは、フィルターの費用を増加させるものであり、好ましいものではない。
【０００４】
他のタイプのパーツ型フィルターとして、ハニカムタイプのフィルターが提案されている。ハニカム構造体を不織布に接着した後、ハニカム構造体中に活性炭等を充填し、ついで該構造体に不織布を接着したフィルターである。この場合、活性炭等の充填後の不織布の接着は、ハニカム構造体と不織布との接触が悪くなり、接着不良が生じ易く、フィルター全体の均質なフィルター効果を発揮しえないという問題及びフィルター寿命が短命となるという問題がある。
【発明の開示】
【発明が解決しようとする課題】
【０００５】
本発明は、従来タイプのパーツ型フィルターの有する問題点を解決し、開口度を大きくし、フィルター全体のフィルター効果を均質に保持でき、かつ安価に製造できるパーツ型フィルターの提供を目的とする。
【課題を解決するための手段】
【０００６】
本発明は、断面四角形状の箱状体の表裏部の対応する位置に、少なくとも２列の方形状、円形状又は楕円形状の開口部を有するパーツ型フィルターであって、該箱状体の表裏部内側にそれぞれ貼着された不織布又は織布と、該不織布又は織布の内側に貼着された該箱状体の表裏部とほぼ同形の方形状、円形状又は楕円形状の開口部を供えた内貼り部材と、少なくとも２列の開口部の間には表裏の内貼り部材に止着された接合部材と、箱状体の表裏部端部に設けられた薬剤充填用の開閉自在の蓋部材とからなることを特徴とするパーツ型フィルターを提供する。
【０００７】
本発明は、開口部が、方形状である上記のパーツ型フィルターを提供する。
【０００８】
本発明は、蓋部材が、それぞれ表裏部の箱材をそれぞれ延長させて二重に形成されていることを特徴とする上記のパーツ型フィルターを提供する。
【０００９】
本発明は、二重に形成された蓋部材の一方が、幅が箱状体の厚さ方向の長さにほぼ等しい、短冊状の突起部を有し、該突起部が該蓋部材を閉じたときに、箱状体の蓋部材側からの空気漏洩を防ぐように箱状体の端部側に折り曲げられていることを特徴とする上記のパーツ型フィルターを提供する。
【００１０】
本発明は、接合部材の断面形状が、方形状、台形状または台形状の底部が中央部で切断され外側又は内側に折り曲げられた形状である上記のパーツ型フィルターを提供する。
【００１１】
本発明は、少なくとも２個のパーツ型フィルターが、側部側で並んだ状態で外枠体に嵌挿されている上記のパーツ型フィルターを提供する。
【００１２】
本発明は、パーツ型フィルターの箱状体が厚紙又はプラスチックで形成されている上記のパーツ型フィルターを提供する。
【発明の効果】
【００１３】
本発明によれば、箱状体の表裏部の接合が均質、強固であり、フィルター全体のフィルター効果が均質であり、かつ安価に製造できる、必ずしもプレフィルター又はアフターフィルターを必要としないパーツ型フィルターが提供される。
【発明を実施するための最良の形態】
【００１４】
本発明パーツ型フィルターを図１から図６に基づいて詳細に説明する。図１は本発明のパーツ型フィルターの斜視図、図２は図１のA−A'線端面図、図３は図１のB−B'線端面図、図４及び図５は箱状体の両端部にそれぞれ設けられた蓋部材の展開図、図６は２個のパーツ型フィルターを側部側で並んだ状態で外枠体に嵌挿した状態を示す斜視図である。
【００１５】
図１において、表裏部の対応する位置に開口部２が設けられており、該開口部２には不織布又は織布５が内貼りされている。開口部２面積の表部あるいは裏部の面積に対する比率即ち開口度は、パンチング板の場合には３３．３％程度であるに対し、これよりも遥かに大きい開口度、例えば約５０％程度を得ることができる。図１のA,A'線端面図である図２に示すように、２列に並んだ開口間の帯状部に、箱状体の両端に設けられた蓋部材７、７’を結ぶ方向に、箱状体の表裏部を接合する接合部材８が設けられている。図２及び図３に示す接合部材８は、断面形状が台形であり、図２では台形の底部が中央部で切断され、切断された底部が内側に折り曲げられた形状を示し、図３では台形の底部が中央部で切断され、切断された底部が外側に折り曲げられた形状を示している。接合部材８は、かかる形状のみならず、方形状あるいは台形状等、箱状体の表裏部を接合し、箱状体に脱臭剤等の薬剤を充填したときに、十分な強度保持ができるようなものであれば、特に限定されるものではない。
【００１６】
図２は箱状体の表部３と、表部３の内側に内貼りされた不織布又は織布５と、不織布又は織布５の内側に内貼りされた内貼り部材９と、裏部４と裏部４の内側に内貼りされた不織布又は織布５と、内貼り部材９とを備え、開口部間の縦方向帯状部６には断面形状台形の接合部材８が設けられている構造を示している。表部３と内貼り部材９、裏部４と内貼り部材９とはそれぞれ同位置に開口部が設けられている。
【００１７】
図３は開口部がない図１のB-B'線部分での端面図であり、箱状体の縦方向横方向共に帯状部が存在する部分での端面図である。横方向帯状部に断面形状台形の底部中央部を切断し、切断部分を帯状部に広げて接着させた接合部材８により、箱状体の表裏部３、４を接合した状態を示している。
【００１８】
図４は箱状体の両端部に設けられ、表裏部の一方に設けられた蓋部材１５と、該蓋部材の中央部に設けられた短冊状体１０とからなる、蓋部材の展開図を示す。本図では箱状体の裏部４から延びた蓋部材１５を示す。箱状体に薬剤充填後、蓋部材１５は裏部４と蓋部材１６との間に設けた折り曲げ線１１から箱状体１の内側に折り曲げ、折り曲げ線１２で水平方向に折り曲げ、さらに折り曲げ線１３で箱状体１の端部方向に向かって折り曲げられる。折り曲げ線１２、１３間の距離即ち短冊状体１０の幅は、箱状体１の厚さ方向とほぼ等しい距離を有する。
【００１９】
図５は表裏部の他の一方に設けられた折り曲げ線１１と１４とを備えた蓋部材１６を示す。本図においては表部３から蓋部材１６が延びた場合を示す。薬剤充填後、蓋部材１６を折り曲げ線１１から折り曲げ、ついで折り曲げ線１４で箱状体の内側に折り曲げる。蓋部材１５及び１６により、二重に閉鎖するのは、清浄化される空気が表裏部の開口部２を通過する際に、蓋部材側から漏洩するのを防止するためである。
【００２０】
図６は箱状体１を側部側で並んだ状態で外枠体１７に嵌挿された状態を示す。空気清浄又は脱臭機に取付られるフィルターには、種々の大きさがあり、その大きさにマッチさせるため、あるいは長期間の使用による変形を防止するために外枠体が設けられる。パーツ型フィルター１個を外枠体に嵌挿させるようにしてもよく、それぞれの空気清浄又は脱臭機により適宜選択される。又個々の箱状体１を並列に並べたとき、箱状体１の間からの空気の漏洩を防ぐためには、箱状体１を側部側で接着してもよく、あるいはＴ字状部材のＴ字側を空気の上流側となるように箱状体１間に挿入しておいてもよい。
【００２１】
本発明の箱状体は、厚紙あるいはプラスチックで製造した場合でも、実用上十分な強度と耐久性を発揮できる構造を有している。本発明のパーツ型フィルターは、完成された構造のパーツ型フィルターそれ自体に薬剤を充填してもよいが、外枠体に嵌挿させる場合には、外枠体嵌挿後薬剤を充填することができ、このような作業工程は作業性を向上させる。
【００２２】
本発明に用いられる空気清浄性の薬剤としては、例えば脱臭剤及び抗菌剤が挙げられるが、これらに限定されるものではない。これら薬剤の形状としてはペレット状のものが圧力損失の増加防止及び作業性の向上との観点から特に好ましく使用される。
【００２３】
本発明に用いられる脱臭剤とは、主に悪臭を除去する目的で使用される薬剤である。例えば、活性炭、添着活性炭、活性炭素繊維、備長炭、天然及び合成ゼオライト、ハイシリカゼオライト、シリカ、活性アルミナ、活性白土、セピオライト、イオン交換樹脂等の吸着剤、鉄アスコルビン酸や、鉄、コバルト又はマンガン等の金属フタロシアニン誘導体等の酵素系脱臭剤、酸化チタンや酸化亜鉛等の光触媒、マンガン系酸化物等の低温酸化触媒、炭化珪素、窒化珪素、珪酸カルシウム、アルミナ・シリカ系、ジルコニア系等の合成セラミクス、植物抽出成分に含まれるカテキン、タンニン、フラボノイド等を用いた消臭剤等が例示される。これらの脱臭剤は、必要に応じて複数のものを併用してもよく、またこれらの脱臭剤を複合化したハイブリッド脱臭剤としてもよい。
【００２４】
本発明に使用される抗菌剤は、細菌、黴類又はウイルス等の有害微生物及び病原体の除去、殺滅、失活又は繁殖抑制等の目的で使用される薬剤である。例えば、銀や亜鉛等を主成分とする無機系抗菌剤、ベンツイミダゾール系、イオチアゾリン系、ピリチオン系等の有機系抗菌剤、キチン、キトサン等の高分子系抗菌剤等が挙げられる。これらを複合したハイブリッド系抗菌剤も使用される。
【００２５】
不織布又は織布の材質としては、適度の通気性と強度を有するものであればよく、これらに使用される繊維としては、ポリアミド系繊維、ポリエステル系繊維、ポリウレタン系繊維、ポリビニルアルコール系繊維、ポリ塩化ビニリデン系繊維、ポリ塩化ビニル系繊維、ポリアクリロニトリル系繊維、ポリオレフィン系繊維等の合成繊維、ガラス繊維、金属繊維、アルミナ繊維、炭素繊維、木材パルプ、竹パルプ、木綿等の天然繊維等が挙げられる。
【図面の簡単な説明】
【００２６】
【図１】本発明のパーツ型フィルターを示す斜視図である。
【図２】図１のA,A'線端面図である。
【図３】図１のB,B'線端面図である。
【図４】本発明の箱状体の両端部に設けられた蓋部材の展開図である。
【図５】本発明の箱状体の両端部に設けられた蓋部材の展開図である。
【図６】２個のパーツ型フィルターを側部側で並んだ状態で外枠体に嵌挿した状態を示す斜視図である。
【符号の説明】
【００２７】
１  箱状体
２  開口部
３  箱状体の表部
４  箱状体の裏部
５  不織布又は織布
６  開口部間の縦方向帯状部
７、７’  蓋部材
８  接合部材
９  内貼り部材
１０  蓋部材に設けた短冊状体
１１  折り曲げ線
１２  折り曲げ線
１３  折り曲げ線
１４  折り曲げ線
１５  蓋部材
１６  蓋部材
１７  外枠体
【図１】
2008113935.tif 000003
【図２】
2008113935.tif 000004
【図３】
2008113935.tif 000005
【図４】
2008113935.tif 000006
【図５】
2008113935.tif 000007
【図６】
2008113935.tif 000008